(57)【要約】【課題】施工性に優れ、体裁よく握り棒を接続できる手摺のコーナー材を提供する。【解決手段】可撓芯材３を軟質樹脂のチューブ４で被覆して折曲自在の接続棒１を形成し、この接続棒１の両端部に継手金具２を取り付けた手摺のコーナー材において、前記継手金具２を、接続棒１の端面に固定される固定板５と、この固定板５に対して回転するリング体６とから構成し、このリング体６に被接続棒Ｓの固定用のビス穴１２を形成する。接続棒１を湾曲させた後でも、接続棒１に対してリング体６を回転させることにより、ビス穴１２を施工性及び美観に優れた任意の方向へ向けることができる。【選択図】  図２
2004197334.tif 000002
【特許請求の範囲】
【請求項１】
可撓芯材３を軟質樹脂のチューブ４で被覆して折曲自在の接続棒１を形成し、この接続棒１の両端部に円筒状の継手金具２を取り付け、前記接続棒１を湾曲させて各継手金具２の外端開口部に被接続棒Ｓの端部を挿入し、継手金具２の周壁に形成したビス穴１２を介して被接続棒Ｓにビスを突入させ、継手金具２に被接続棒Ｓを固定する手摺のコーナー材において、前記継手金具２を、接続棒１の端面に固定される固定板５と、この固定板５に対して回転するリング体６とから構成し、このリング体６に前記ビス穴１２を形成したことを特徴とする手摺のコーナー材。
【発明の詳細な説明】
【０００１】
【発明の属する技術分野】
この発明は、手摺のコーナー部において、握り棒の接続に使用するコーナー材に関するものである。
【０００２】
【従来の技術】
例えば、図９に示すように、廊下から階段に亘って手摺を設置する際には、廊下と階段の側壁にブラケットＢを介してそれぞれ取り付けられる直線状の握り棒（被接続棒）Ｓを、コーナー材Ｃを介して接続する。
【０００３】
このコーナー材Ｃとして、図１０に示すように、蛇腹状の可撓芯材５３を軟質樹脂のチューブ５４で被覆して折曲自在の握り棒（接続棒）５１を形成し、その両端部に円筒状の継手金具５２を取り付け、継手金具５２の周壁に２個のビス穴５５を形成し、継手金具５２の内端開口部に挿入した接続棒５１の端部に、内側のビス穴５５を介してビス５６をねじ込んだものが知られている。
【０００４】
このようなコーナー材Ｃを用いて手摺を施工する際には、接続棒５１を湾曲させて各継手金具５２の外端開口部に被接続棒Ｓの端部を挿入し、外側のビス穴５５を介して被接続棒Ｓにビス５７をねじ込むことにより、継手金具５２に被接続棒Ｓを固定する。
【０００５】
なお、本出願人は、下記特許文献１において、芯材にコイルを使用した折曲自在の握り棒を提案している。
【０００６】
【特許文献１】
特開２０００−２３４４２９号公報（請求項１、図２等参照）
【０００７】
【発明が解決しようとする課題】
ところで、図１０に示すコーナー材Ｃは、継手金具５２が一部材から成る簡単な構造であるが、施工に際し、接続棒５１を湾曲させると、被接続棒Ｓに対する継手金具５２の周方向の角度が限定され、ビス穴５５が目立つ方向や、ビス５７をねじ込みにくい方向に向いたままになることがある。
【０００８】
そこで、この発明は、施工性に優れ、体裁よく握り棒を接続できる手摺のコーナー材を提供することを課題とする。
【０００９】
【課題を解決するための手段】
上記のような課題を解決するため、この発明に係る手摺のコーナー材は、折曲自在の接続棒の両端部に取り付けた継手金具を、接続棒の端面に固定される固定板と、この固定板に対して回転するリング体とから構成し、このリング体に形成したビス穴を介して、リング体の外端開口部に挿入した被接続棒にビスを突入させ、継手金具に被接続棒を固定することとしたのである。
【００１０】
このように構成すると、接続棒を湾曲させた後でも、接続棒に対してリング体を回転させることにより、ビス穴を施工性及び美観に優れた任意の方向に向けることができる。
【００１１】
【発明の実施の形態】
以下、この発明の実施の形態を添付図面に基づいて説明する。
【００１２】
この手摺のコーナー材Ｃは、図１及び図２に示すように、折曲自在の接続棒１の両端部に円筒状の継手金具２を取り付けたものである。接続棒１は、蛇腹状の可撓芯材３をエラストマー等の軟質樹脂から成るチューブ４で被覆したものとされ、チューブ４の外観は、被接続棒Ｓに揃えて木目調に仕上げられている。
【００１３】
継手金具２は、接続棒１の端面に固定される固定板５と、この固定板５に対して回転するリング体６とから成り、可撓芯材３の両端部とチューブ４の間には中間金具７が挿入されている。
【００１４】
固定板５には、図３に示すように、中心部及びその外側に４個の貫穴８が、外周にフランジ９と爪１０とが設けられている。爪１０は、フランジ９から軸方向に間隔をおいて周方向に３個配置され、そのうち１個は大きく、２個は小さくなっている。フランジ９は、爪１０が両面から見えるように切り欠かれている。
【００１５】
リング体６には、図４に示すように、内周にフランジ１１が設けられ、その外側の周壁にビス穴１２が形成されている。フランジ１１には、各爪１０がそれぞれ通過可能な３個の切欠部１３が設けられ、小さな切欠部１３は、大きな爪１０が通過できない幅になっている。
【００１６】
中間金具７には、図５に示すように、外端面中心部にねじ穴１４が、その外側に３個の係合突起１５が形成され、この中間金具７は、図１及び図６に示すように、その周壁及び接続棒１を貫通するピン穴１６にスプリングピン１７を挿通して、接続棒１から抜け止めすると共に、接続棒１に対して回り止めする。
【００１７】
また、上記継手金具２の組み立てに際しては、各爪１０が対応する切欠部１３を通過するように、リング体６に固定板５を嵌め、固定板５とリング体６とを相対回転させ、固定板５のフランジ９と爪１０との間にリング体６のフランジ１１が挟持されるようにする。このとき、ピン穴１６は、リング体６で隠される。
【００１８】
ここで、大きい爪１０は、これに対応する大きい切欠部１３のみを通過でき、小さい切欠部１３から抜けないので、固定板５とリング体６とがある程度回転しても、これらが不意に分離することがなく、コーナー材Ｃの組み立てや手摺の施工時における部品管理を容易に行うことができる。
【００１９】
このように組み立てた継手金具２を接続棒１に取り付けるには、図７及び図８に示すように、固定板５の中心部の貫穴８を介して取付ねじ１８を中間金具７のねじ穴１４にねじ込み、中間金具７の係合突起１５を固定板５の外側の３個の貫穴８に係合させて、固定板５を接続棒１に対して回り止めする。
【００２０】
上記のようなコーナー材Ｃを使用して手摺を施工する際には、図２に示すように、接続棒１を湾曲させ、各継手金具２の外端開口部に被接続棒Ｓの端部を挿入し、リング体６のビス穴１２を介して被接続棒Ｓにビス１９をねじ込み、継手金具２に被接続棒Ｓを固定する。
【００２１】
このとき、接続棒１を湾曲させた後でも、接続棒１に対してリング体６を回転させることにより、ビス穴１２を、ビス１９がねじ込みやすく、目立たない方向に向けることができるので、上記のようなコーナー材Ｃを用いると、施工時の作業性が向上し、手摺は美観に優れたものとなる。
【００２２】
【発明の効果】
以上のように、この発明に係る手摺のコーナー材では、折曲自在の接続棒の両端部に取り付けた継手金具のリング体を回転させることにより、被接続棒の固定用のビス穴を、ビスがねじ込みやすく、目立たない方向に向けることができるので、施工時の作業性が向上し、手摺は美観に優れたものとなる。
【図面の簡単な説明】
【図１】この発明に係るコーナー材を示す一部切欠軸方向全体図
【図２】同上の湾曲状態を示す軸方向全体図
【図３】（ａ）同上の固定板の外端面図
（ｂ）同上の断面図
【図４】（ａ）同上のリング体の内端面図
（ｂ）同上の断面図
【図５】（ａ）同上の中間金具の外端面図
（ｂ）同上の断面図
（ｃ）同上の内端面図
【図６】同上のコーナー材の端部分解斜視図
【図７】（ａ）同上の組立過程を示す軸方向拡大断面図
（ｂ）同上の端面図
【図８】（ａ）同上の組立状態を示す軸方向拡大断面図
（ｂ）同上の端面図
【図９】コーナー材を使用した手摺の施工状態図
【図１０】従来のコーナー材を示す一部切欠軸方向全体図
【符号の説明】
１  接続棒
２  継手金具
３  可撓芯材
４  チューブ
５  固定板
６  リング体
７  中間金具
８  貫穴
９  フランジ
１０  爪
１１  フランジ
１２  ビス穴
１３  切欠部
１４  ねじ穴
１５  係合突起
１６  ピン穴
１７  ピン
１８  取付ねじ
１９  ビス
Ｂ  ブラケット
Ｃ  コーナー材
Ｓ  被接続棒
【図１】
2004197334.tif 000003
【図２】
2004197334.tif 000004
【図３】
2004197334.tif 000005
【図４】
2004197334.tif 000006
【図５】
2004197334.tif 000007
【図６】
2004197334.tif 000008
【図７】
2004197334.tif 000009
【図８】
2004197334.tif 000010
【図９】
2004197334.tif 000011
【図１０】
2004197334.tif 000012